(57)【特許請求の範囲】
【請求項１】
検知対象の位置を検知する検知部と、
上記検知部が検知した検知対象の位置から、検知面において区画された複数の領域のうち、上記検知対象の位置に対応する領域を決定する領域決定部と、
上記複数の領域と対応付けられて上記検知面上に形成された複数のアンテナと、
上記複数のアンテナのうち、上記領域決定部が決定した領域とは異なる領域と対応付けられたアンテナを選択するアンテナ選択部と、
上記アンテナ選択部が選択したアンテナを用いて通信する通信部と、
を備え、
上記検知部は、上記検知面から所定の距離内に上記検知対象が存在する場合に、該検知面から該検知対象までの距離、および該検知対象から最も近い該検知面上の位置から、該検知対象の位置を検知し、
上記検知部が検知した上記検知対象と上記検知面との距離が短くなるほど、上記領域決定部が決定する領域のサイズは小さくなることを特徴とする通信装置。
【請求項２】
上記検知部は、上記検知面に上記検知対象が接触した位置から該検知対象の位置を検知することを特徴とする請求項１に記載の通信装置。
【請求項３】
上記アンテナは透明であり、
上記検知面の近傍に表示部が配置されていることを特徴とする、請求項１または２に記載の通信装置。
【請求項４】
検知対象の位置を検知する検知ステップと、
上記検知ステップで検知した検知対象の位置から、検知面において区画された複数の領域のうち、上記検知対象の位置に対応する領域を決定する領域決定ステップと、
複数のアンテナが、上記複数の領域と対応付けられて上記検知面上に形成されており、上記複数のアンテナのうち、上記領域決定ステップで決定した領域とは異なる領域と対応付けられたアンテナを選択するアンテナ選択ステップと、
上記アンテナ選択ステップで選択したアンテナを用いて通信する通信ステップと、を含み、
上記検知ステップにて、上記検知面から所定の距離内に上記検知対象が存在する場合に、該検知面から該検知対象までの距離、および該検知対象から最も近い該検知面上の位置から、該検知対象の位置を検知し、
上記検知ステップにて検知した上記検知対象と上記検知面との距離が短くなるほど、上記領域決定ステップにて決定する領域のサイズは小さくなることを特徴とする通信装置の制御方法。
【発明の詳細な説明】
【技術分野】
【０００１】
本発明は、複数のアンテナを備え、無線通信にて通信する通信装置、および通信装置の制御方法に関する。
【背景技術】
【０００２】
携帯電話などのモバイル端末のアンテナとして、ディスプレイの画面に取り付けられるディスプレイ用透明アンテナが知られている。
【０００３】
一般的なディスプレイ用透明アンテナについて図１０を用いて説明する。図１０（ａ）、（ｂ）はディスプレイ用透明アンテナを説明するための図である。図１０（ａ）に示すようにディスプレイ用透明アンテナ１０１は、携帯端末１００の表示部上に配置されている。そして、図１０（ｂ）に示すように、ディスプレイ用透明アンテナ１０１は、剥離シート、透明粘着層、透明プラスチックシート、導電部、透明カバー層が、この順序で積層した層構造となっている。
【０００４】
また、特許文献１には、携帯電話の表示画面の表示範囲全体に貼着された透明アンテナが記載されている。
【先行技術文献】
【特許文献】
【０００５】
【特許文献１】特許第４８１４２２３号公報（２０１１年１１月１６日発行）
【発明の概要】
【発明が解決しようとする課題】
【０００６】
近年、表示部において、表示のみではなく、タッチパネル等を備えて、表示部に対するタッチにより操作が可能となっている携帯端末が普及している。このような携帯端末では、表示部に指等がかかることになる。
【０００７】
そして、上述した従来技術では、アンテナが表示部に設けられているため、アンテナの通信領域に指等がかかることになり、アンテナ特性が劣化し、携帯端末の通信性能が劣化してしまう可能性がある。また、これにより、安定した通信ができなくなるという問題がある。
【０００８】
本発明は上記の問題点に鑑みてなされたものであり、その目的は良好な無線通信を実現することができる通信装置を提供することにある。
【課題を解決するための手段】
【０００９】
上記の課題を解決するために、本発明の一態様に係る通信装置は、検知対象の位置を検知する検知部と、上記検知部が検知した検知対象の位置から、検知面において区画された複数の領域のうち、上記検知対象の位置に対応する領域を決定する領域決定部と、上記複数の領域と対応付けられて上記検知面上に形成された複数のアンテナと、上記複数のアンテナのうち、上記領域決定部が決定した領域とは異なる領域と対応付けられたアンテナを選択するアンテナ選択部と、上記アンテナ選択部が選択したアンテナを用いて通信する通信部と、を備えている。
【００１０】
また、本発明の一態様に係る通信装置の制御方法は、検知対象の位置を検知する検知ステップと、上記検知ステップで検知した検知対象の位置から、検知面において区画された複数の領域のうち、上記検知対象の位置に対応する領域を決定する領域決定ステップと、複数のアンテナが、上記複数の領域と対応付けられて上記検知面上に形成されており、上記複数のアンテナのうち、上記領域決定ステップで決定した領域とは異なる領域と対応付けられたアンテナを選択するアンテナ選択ステップと、上記アンテナ選択ステップで選択したアンテナを用いて通信する通信ステップと、を含む。
【発明の効果】
【００１１】
本発明の一態様によれば、良好な無線通信を実現できるという効果を奏する。
【図面の簡単な説明】
【００１２】
【図１】実施形態１に係る携帯端末の要部構成を示すブロック図である。
【図２】（ａ）は上記携帯端末におけるセンサパネルの領域とアンテナの配置との関係を示す図であり、（ｂ）は領域決定テーブルを示す図であり、（ｃ）はアンテナ選択テーブルを示す図である。
【図３】上記携帯端末における処理の流れを示すフローチャートである。
【図４】実施形態２に係る携帯端末の要部構成を示すブロック図である。
【図５】（ａ）は、実施形態２に係るセンサパネルの検知面に対する検知対象物の位置と、検知空間との関係を示す図であり、（ｂ）〜（ｄ）は、実施形態２に係るセンサパネルの構造と検知分解能との関係を示す図であり、（ｅ）は、指とセンサパネルの検知面との距離とセンサパネルの検知面を区画する領域の数との関係、指とセンサパネルの検知面との距離とセンサパネルの検出感度との関係、および、指とセンサパネルの検知面との距離とセンサパネルの分解能（検知分解能）との関係を示す表である。
【図６】（ａ）は、実施形態２に係るアンテナの配置を示す図であり、（ｂ）〜（ｄ）は、実施形態２に係るセンサパネルの検知面を区画する領域を示す図である。
【図７】（ａ）、（ｃ）および（ｅ）は、実施形態２に係る領域決定テーブルを示す図であり、（ｂ）、（ｄ）および（ｆ）は、実施形態２に係るアンテナ選択テーブルを示す図である。
【図８】実施形態２に係る携帯端末の処理の流れを示すフローチャートである。
【図９】実施形態２に係る位置特定部の処理の流れを示すフローチャートである。
【図１０】（ａ）、（ｂ）は、一般的なディスプレイ用透明アンテナを説明するための図である。
【発明を実施するための形態】
【００１３】
〔実施形態１〕
〔携帯端末の構成〕
本実施形態に係る携帯端末１は、タッチスクリーンディスプレイ２に複数の透明アンテナ（アンテナＡＮ）を備え、指等のタッチによりいずれかのアンテナの通信領域が塞がれそうな場合に、塞がれる可能性が低いアンテナを選択して通信する。これにより、指等により携帯端末１を操作中であっても、良好な通信を維持することが可能となる。
【００１４】
携帯端末１の詳細について、図１〜図３に基づいて説明する。図１は、携帯端末（通信装置）１の要部構成を示すブロック図である。図１に示すように、携帯端末１は、タッチスクリーンディスプレイ２、制御部３、および記憶部４を含む。タッチスクリーンディスプレイ２は、センサパネル２１、表示部２２、およびアンテナ部２３を含む。
【００１５】
記憶部４は、情報を記憶するものであり、フラッシュメモリ、ＲＯＭ（Read Only Memory）などの不揮発性の記憶装置と、ＲＡＭ（Random Access Memory）などの揮発性の記憶装置とによって構成される。不揮発性の記憶装置に記憶される内容としては、各種プログラム、各種動作設定値、各種データなどが挙げられる。一方、揮発性の記憶装置に記憶される内容としては、作業用ファイル、テンポラリファイルなどが挙げられる。本実施の形態では、記憶部４は、領域決定テーブル４１およびアンテナ選択テーブル４２を含む。
【００１６】
領域決定テーブル４１は、検知座標と検知対象領域とを対応付けたテーブルである。アンテナ選択テーブル４２は、検知対象領域と可動領域と選択できないアンテナとを対応付けたテーブルである。
【００１７】
センサパネル２１は、タッチスクリーンディスプレイ２上における検知対象（ユーザの指等）の位置を検知する。センサパネル２１の例としては静電容量型のセンサが挙げられる。静電容量型のセンサでは、検知面に指などが接触することによる静電容量値の変化から接触点の位置を特定できる。なお、本実施形態では、センサパネル２１を用いて検知対象を検知する構成としてせつめいしているが、これに限られず、例えば、温度センサ、照度センサ、圧電素子センサ等を用いて検知対象を検知してもよい。また、これらを組み合わせて用いてもよい。
【００１８】
センサパネル２１の検知面は複数の領域に区画されている。具体的に図２（ａ）を参照して説明する。図２（ａ）に示すように、センサパネル２１は、領域α〜δの４つの領域に区画されており、それぞれアンテナＡＮ１、アンテナＡＮ２、アンテナＡＮ３、およびアンテナＡＮ４の配置と対応している。領域α〜δは、検知面におけるｙ座標（携帯端末１における長手方向をｙ方向とする）によって区画されている。領域αはｙ座標が０からＹ１までの領域であり、領域βはｙ座標がＹ１からＹ２までの領域であり、領域γはｙ座標がＹ２からＹ３までの領域であり、領域δはｙ座標がＹ３からＹ４までの領域である。
【００１９】
なお、本実施形態では、検知面をｙ方向に４個の領域に区画したが、領域数はこれに限られない。検知面の領域やアンテナの配置を携帯端末１の短手方向であるｘ方向に複数区画してもよいし、ｘ方向とｙ方向との両方向に複数区画してもよい。すなわち、後述するように、アンテナＡＮの数と合わせて、任意の個数とすることができる。
【００２０】
表示部２２は、後述する表示制御部３５からの指示に従い、各種情報、操作画面等の画像、文章等の表示を行う。表示部２２はセンサパネル２１の近傍、例えば内部側にセンサパネル２１に近接して配置されている。この表示部２２としては、情報の表示が可能な表示装置であればどのような装置によって実現されてもよく、具体的な例としては、液晶ディスプレイ、有機ＥＬ（Electro Luminescence）ディスプレイ、プラズマディスプレイが挙げられる。
【００２１】
アンテナ部２３は、アンテナＡＮ１〜ＡＮ４の４個のアンテナを含む。アンテナＡＮ１〜ＡＮ４は、センサパネル２１の検知面上に形成されている。なお、本実施形態では、アンテナＡＮ１〜ＡＮ４の４個の場合を例に挙げて説明しているが、アンテナの数はこれに限られない。する。また、アンテナＡＮ１〜ＡＮ４を区別する必要がない場合、単にアンテナＡＮと記載する。
【００２２】
制御部３は、携帯端末１におけるアンテナＡＮの選択処理を含む各種処理を実行するものであり、位置取得部（検知部）３１、領域決定部３２、アンテナ選択部３３、通信部３４、および表示制御部３５を含む。
【００２３】
位置取得部３１は、検知対象の位置を取得する。詳細には、位置取得部３１は、センサパネル２１から検知対象の検知面における座標（例えば、ｘ，ｙ座標）を取得する。そして、位置取得部３１は取得した座標（検知座標）を領域決定部３２に通知する。
【００２４】
領域決定部３２は、位置取得部３１から通知されたた検知座標を用いて、センサパネル２１の検知面において区画された複数の領域のうち、対応する領域（検知対象領域）を決定する。詳細には、領域決定部３２は、検知座標と検知対象領域とが対応付けられている領域決定テーブル４１を参照して、検知座標から検知対象領域を決定する。例えば、検知座標が０〜Ｙ１に含まれる場合、検知対象領域は領域αとなり、検知座標がＹ１〜Ｙ２に含まれる場合、検知対象領域は領域βとなる。以下、同様である。そして、領域決定部３２は、決定した検知対象領域を示す領域情報をアンテナ選択部３３に通知する。
【００２５】
アンテナ選択部３３は、複数のアンテナＡＮ１〜ＡＮ４のうち、領域決定部３２から通知された検知対象領域を用いて、通信に用いるアンテナを選択する。詳細には、アンテナ選択部３３は、アンテナ選択テーブル４２を参照して、領域決定部３２が決定した検知対象領域、および検知対象領域から予測される検知対象の可動領域とは対応しないアンテナを選択する。例えば、検知対象領域が領域αの場合、可動領域は領域αおよび領域βとなり、選択できないアンテナは領域αおよび領域βと対応するアンテナＡＮ１およびアンテナＡＮ２となる。そこで、アンテナ選択部３３は、アンテナＡＮ３またはアンテナＡＮ４を選択する。また、検知対象領域が領域βの場合、可動領域は領域α、領域βおよび領域γとなり、選択できないアンテナは領域α、領域βおよび領域γと対応するアンテナＡＮ１、アンテナＡＮ２およびアンテナＡＮ３となる。そこで、アンテナ選択部３３は、アンテナＡＮ４を選択する。以下、同様である。
【００２６】
なお、ここでは可動領域として検知対象領域およびこれに隣接する領域を対応付けているが、これに限られるものではない。ユーザの操作の傾向等から可動領域を決定してもよい。
【００２７】
また、選択可能なアンテナが複数存在する場合（例えば、上記の検知対象領域が領域αの場合は、アンテナＡＮ３、アンテナＡＮ４が選択可能）、アンテナ選択部３３は、選択可能なアンテナのうち、所定の判断基準に基づいて選択すればよい。所定の選択基準としては、例えば通信に使用している周波数により適した周波数特性を備えたアンテナを選択してもよいし、通信性能の高いアンテナを選択してもよい。通信性能は、例えば、受信品質を用いて決定することができる。そして、アンテナ選択部３３は、選択したアンテナ情報を通信部３４に通知する。
【００２８】
通信部３４は、アンテナ選択部３３から通知されたアンテナを用いて通信を行う。
【００２９】
表示制御部３５は、表示部２２に、各種情報、操作画面等の画像の表示を指示する。
【００３０】
〔携帯端末における処理の流れ〕
次に、本実施形態に係る携帯端末１の処理の流れについて説明する。図３は携帯端末１の処理の流れを示すフローチャートである。
【００３１】
図３に示すように、携帯端末１は、ユーザの操作等によりネットワーク接続を開始するための処理要求を受け付けると（Ｓ１でＹＥＳ）、位置取得部３１はセンサパネル２１から検知対象（ユーザの手など）の接触位置を表す座標（検知座標）を取得する（Ｓ２：検知ステップ）。次に、領域決定部３２は位置取得部３１から通知された検知座標を用いて、センサパネル２１における検知対象領域を決定し、アンテナ選択部３３は、領域決定部３２が決定した検知対象領域から、検知対象物の可動領域を推定する（Ｓ３：領域決定ステップ）。そして、アンテナ選択部３３は、通信に用いるアンテナを選択する（Ｓ４：アンテナ選択ステップ）。
【００３２】
そして、通信部３４は、アンテナ選択部３３が選択したアンテナを用いて通信を行う（Ｓ５：通信ステップ）。その後、ネットワーク接続を終了するための処理要求を受け付けると（Ｓ６でＹＥＳ）、携帯端末１における処理は終了する。一方、ネットワーク接続を終了するための処理要求を受け付けなければ（Ｓ６でＮＯ）、ステップＳ２に戻る。
【００３３】
なお、上述した実施形態では、アンテナＡＮと領域（α〜δ）とが対応付けられている構成としたが、これに限られるものではない。例えば、アンテナＡＮそれぞれの給電点と領域（α〜δ）とを対応付けて、アンテナＡＮを選択する構成であってもよい。例えば、アンテナＡＮ１の給電点が領域αと対応し、領域αが検知対象領域となる場合に、領域αおよび領域β以外と対応しているアンテナＡＮ３、ＡＮ４を選択する構成であってもよい。
〔実施形態２〕
〔携帯端末の構成〕
本発明の他の実施形態について、図４〜図９に基づいて説明すれば、以下のとおりである。なお、説明の便宜上、前記実施形態にて説明した部材と同じ機能を有する部材については、同じ符号を付記し、その説明を省略する。
【００３４】
本実施形態に係る携帯端末１ｂについて図４を用いて説明する。図４は、携帯端末１ｂの要部構成を示すブロック図である。図４に示すように、携帯端末１ｂは、タッチスクリーンディスプレイ２ｂ、制御部３ｂ、および記憶部４ｂを含む。
【００３５】
記憶部４ｂは、記憶部４と同様に情報を記憶するものであり、領域決定テーブル４１ａ〜ｃおよびアンテナ選択テーブル４２ａ〜ｃを含む。領域決定テーブル４１ａ〜ｃは、検知座標と検知対象領域とを対応付けたテーブルである。アンテナ選択テーブル４２ａ〜ｃは、検知対象領域と選択できないアンテナとを対応付けたテーブルである。
【００３６】
タッチスクリーンディスプレイ２ｂは、上記実施形態１におけるセンサパネル２１の代わりにセンサパネル２１ｂを含む。
【００３７】
センサパネル２１ｂは、検知対象がセンサパネル２１ｂの検知面と接触していない場合、検知対象の位置をセンサパネル２１ｂの検知面の法線方向に投影したときの二次元平面上の位置（投影点）（検知対象から最も近い該検知面上の位置から、該検知対象の位置）の座標（ｘ、ｙ座標）を検知する。さらに、センサパネル２１ｂは投影点から検知対象までの距離（以下、対峙距離という）（ｚ座標）を特定することができる。ここでは、センサパネル２１ｂの検知面上に設定した２次元座標をｘ、ｙ座標とし、センサパネル２１ｂの検知面に直交する方向をｚ軸方向としている。
【００３８】
センサパネル２１ｂの検知面上の検知空間の概念およびセンサパネル２１ｂの検知分解能の概念を、図５を用いて説明する。図５（ａ）は、センサパネル２１ｂの検知面に対する指ｈの位置と、検知空間との関係を説明するための図である。また、図５（ｂ）〜（ｄ）は、センサパネル２１ｂの構造と検知分解能との関係を説明するための図である。
【００３９】
図５（ｂ）に示すようにセンサパネル２１ｂは、紙面の上下方向に所定の間隔を保持して多数配列された複数の縦電極（ワイヤ電極）と、左右方向に所定の間隔を保持して多数配列された複数の横電極（ワイヤ電極）とを備え、これらが交差するようにマトリックス状に配列された二次元電極構造を有している。なお、センサパネル２１ｂの構成は上述した構成に限定されない。例えば、センサパネルは、複数の点電極が二次元的に配列された二次元電極構造を有していても良い。センサパネル２１ｂはいわゆる静電容量型のセンサであり、近接検知型のセンサとして機能する。
【００４０】
図５（ａ）に示すようにセンサパネル２１ｂの検知面からの対峙距離（または検出レベル）が基準値１を超えると不感帯空間（非検知空間）となるが、対峙距離が基準値１以下であるときには、指の位置を検知できる感帯空間（検知空間）となる。検知できる空間か否かは、対峙した指ｈの存在を、静電容量の変化として検知できるかどうかで決まる。センサパネル２１ｂの静電容量に対する検知感度が高くなるにつれて、センサパネル２１ｂは検知面からより離れた位置の検知対象を検知することができる。
【００４１】
検知電極として実際に寄与する電極間隔が広がると、より広い（検知面から遠い）検知空間を検知できる。本実施形態では、一例として、５〜１０ｃｍの対峙距離が検知空間となるように設計されているものとする。
【００４２】
指ｈの空間位置は、センサパネル２１ｂの検知面に指ｈが接触する接触点までの間であれば連続的に計測できることが好ましい。本実施形態では、検知空間を対峙距離に応じて２つに分類する。検知空間Ｉは対峙距離が基準値２を超え、基準値１以下の空間を指す。例えば、基準値１＝１０ｃｍであるとき、基準値２は５ｃｍ程度に選定される。
【００４３】
次に、対峙距離が基準値２からゼロ直前までの空間位置を検知空間ＩＩとする。そして、この例ではセンサパネル２１ｂの検知面への接触点が検知空間（検知点）ＩＩＩとなる。検知すべき空間位置はセンサパネル２１ｂの検知分解能によって決まる。検知分解能は一般的には検知電極の間隔によって決まる。検知電極の間隔が狭くなるにつれ検知分解能が高くなる。
【００４４】
本実施形態では、検知すべき空間位置は、センサパネル２１ｂの検知面内を含めたセンサパネル２１ｂの検知面上の空間である。
【００４５】
センサパネル２１ｂは、検知対象物の空間位置に応じた検知感度および検知分解能に切り替えられる。図５（ａ）に示す例では、検知空間Ｉ〜ＩＩＩに応じて３段階に検知感度および検知分解能が切り替えられるようになっている。
【００４６】
詳細には、センサパネル２１ｂは、センサパネル２１ｂを構成する横電極および縦電極の数を間引くことで、検知感度および検知分解能を切り替える。
【００４７】
センサパネル２１ｂの検知分解能が最も高い場合は、センサパネル２１ｂの検知空間が検知空間ＩＩＩの場合である。図５（ｂ）は、センサパネル２１ｂの検知空間が検知空間ＩＩＩの場合に使用される電極を示す図である。図５（ｂ）に示すように、センサパネル２１ｂの検知空間が検知空間ＩＩＩの場合、全ての電極が使用される（パターン＜３＞）。この時、隣接する検知電極の間隔を検知できる。この場合には、最小検知エリアが検知電極の電極間隔となり、図５（ｂ）に示すように検知すべき座標点（黒丸印で表示）が最も密な状態となっている。
【００４８】
検知空間ＩＩＩの次にセンサパネル２１ｂの検知分解能が高い検知空間は、検知空間ＩＩである。図５（ｃ）は、センサパネル２１ｂの検知空間が検知空間ＩＩの場合に使用される電極を示す図である。図５（ｃ）に示すように縦電極と１本置きの横電極とによってセンサパネル２１ｂが構成されている（パターン＜２＞）。この場合の最小検知エリアは、検知空間ＩＩＩの場合の最小検知エリアに比べ、４倍に拡張される。また、検知分解能は検知空間ＩＩＩに比べ低くなっている。なお、検知電極として寄与する検知電極数の間引きは、電気的な処理によって実現できる。
【００４９】
センサパネル２１ｂの検知分解能が最も低い場合は、センサパネル２１ｂの検知空間が検知空間Ｉの場合である。図５（ｄ）は、センサパネル２１ｂの検知空間が検知空間Ｉの場合に使用される電極を示す図である。検知空間ＩＩの場合に比べ、さらに間引く検知電極の電極数が多い（パターン＜１＞）。例えば、３本置きの検知電極のみによってセンサパネル２１ｂを構成することで、図５（ｃ）よりもさらに最小検知エリアが広がった状態となる。これによって検知分解能は最も低い状態となる。
【００５０】
以上、指ｈとセンサパネルの検知面間の距離とセンサパネルの検出感度との関係、および、指ｈとセンサパネルの検知面間の距離とセンサパネルの分解能（検知分解能）との関係を表に纏めると、図５（ｅ）のようになる。なお、本実施形態における検知面を区画する領域の数は、実施形態１と異なり、検知面と検知対象との距離に応じて変化する。図５（ｅ）に示されている「領域の数」は、それぞれの検知空間に検知対象が存在する場合の領域の数を示している。検知対象と検知面との距離が短くなるほど、領域決定部が決定する領域の数は多くなり、各領域のサイズは小さくなる。当該領域の区画については、詳細を後述する。
【００５１】
制御部３ｂは、実施形態１の制御部３における位置取得部３１、領域決定部３２、およびアンテナ選択部３３の代わりに、位置特定部（検知部）３１ｂ、領域決定部３２ｂ、およびアンテナ選択部３３ｂを含む。
【００５２】
位置特定部３１ｂは、検知対象の位置を特定する。詳細には、位置特定部３１ｂは、検知対象物の空間位置（ｚ座標）に応じて、センサパネル２１ｂの検知感度および検知分解能を切り替え、センサパネル２１ｂから検知対象の座標を取得し、検知対象の位置を特定する（位置特定処理）。位置特定部３１ｂが行う処理の詳細については後述する。位置特定部３１ｂは、特定した座標（検知座標）を領域決定部３２ｂに通知する。
【００５３】
領域決定部３２ｂは、位置特定部３１ｂから通知された検知座標を用いて、センサパネル２１ｂの検知面において区画された複数の領域のうち、検知対象の位置を含む領域（検知対象領域）を決定する。
【００５４】
本実施形態においては、上述したように、センサパネル２１ｂの検知面を区画する領域の数は、検知面と検知対象との距離に応じて変化する。ここで、図６を用いて検知面を区画する領域について説明する。図６は携帯端末１ｂにおける検知面を区画する領域（Ｒ１〜Ｒ２２）、および、アンテナ（ＡＮ１ｂ〜ＡＮ１６ｂ）の配置を示す図である。図６（ａ）は、携帯端末１ｂが備えているアンテナＡＮ１ｂ〜１６ｂの配置を示す図である。図６（ａ）に示すように、携帯端末１ｂは、タッチスクリーンディスプレイに１６個のアンテナを備えている。
【００５５】
また、図６（ｂ）は、検知対象が検知空間Ｉにある場合の検知面を区画する領域Ｒ１およびＲ２を示している。領域Ｒ１およびＲ２は、検知面におけるｘ座標によって区画されている。領域Ｒ１の区画はｘ座標が０からＸ２の区画であり、領域Ｒ２の区画はｘ座標がＸ２からＸ４の区画である。領域Ｒ１内にアンテナＡＮ１ｂ〜ＡＮ８ｂが含まれ、領域Ｒ２内にアンテナＡＮ９ｂ〜ＡＮ１６ｂが含まれている。
【００５６】
また、図６（ｃ）は、検知対象が検知空間ＩＩにある場合の検知面を区画する４つの領域Ｒ３〜Ｒ６を示している。領域Ｒ３〜Ｒ６は、検知面におけるｘ座標およびｙ座標によって区画されている。ｘ座標については、０からＸ２、および、Ｘ２からＸ４に区画されている。また、ｙ座標については、０からＹ２、および、Ｙ２からＹ４に区画されている。例えば、領域Ｒ３の区画はｘ座標が０からＸ２の区画であり、ｙ座標が０からＹ２の区画である。各領域には、４個のアンテナが含まれている。
【００５７】
また、図６（ｄ）は、検知対象が検知空間ＩＩＩにある場合の検知面を区画する１６個の領域Ｒ７〜Ｒ２２を示している。領域Ｒ７〜Ｒ２２は、検知面におけるｘ座標およびｙ座標によって区画されている。ｘ座標については、０からＸ１、Ｘ１からＸ２、Ｘ２からＸ３およびＸ３からＸ４に区画されている。また、ｙ座標については、０からＹ１、Ｙ１からＹ２、Ｙ２からＹ３およびＹ３からＹ４に区画されている。例えば、領域Ｒ７の区画はｘ座標が０からＸ１の区画であり、ｙ座標が０からＹ１の区画である。各領域には、１個のアンテナが含まれている。
【００５８】
領域決定部３２ｂは、検知座標と決定領域とが対応付けられている領域決定テーブル４１ａ〜ｃを参照して、検知対象領域を決定する。
【００５９】
領域決定テーブル４１ａ〜ｃについて、図７を用いて説明する。図７は、領域決定テーブル４１ａ〜ｃおよびアンテナ選択テーブル４２ａ〜ｃを示す図である。図７（ａ）は検知対象が検知空間Ｉに存在する場合、図７（ｃ）は検知対象が検知空間ＩＩに存在する場合、図７（ｅ）は、検知対象が検知空間ＩＩＩに存在する場合の領域決定テーブルを示す。領域決定テーブル４１ａ〜ｃには、検知面における検知座標と検知対象領域とが対応付けられている。領域決定部３２ｂは、検知対象のｚ座標と基準値１〜３とを用い、検知対象が存在する検知空間を検知空間Ｉ、ＩＩまたはＩＩＩから選択する。そして、領域決定部３２ｂは、選択した検知空間に応じた領域決定テーブル４１ａ〜ｃを参照し、検知対象のｘ座標、ｙ座標から検知対象領域を決定する。領域決定部３２ｂは、決定した検知対象領域を示す領域情報をアンテナ選択部３３ｂに通知する。
【００６０】
アンテナ選択部３３ｂは、領域決定部３２ｂから通知された検知対象領域を用いて、通信に用いるアンテナを選択する。詳細には、アンテナ選択部３３ｂは、アンテナ選択テーブル４２ａ〜ｃを参照して、領域決定部３２ｂが決定した検知対象領域とは異なる領域に対応付けられたアンテナを選択する。アンテナ選択テーブル４２ａ〜ｃには、各検知対象領域に対して選択できないアンテナが対応付けられている。
【００６１】
アンテナ選択テーブル４２ａ〜ｃについて、図７を用いて説明する。図７（ｂ）は検知対象が検知空間Ｉに存在する場合、図７（ｄ）は検知対象が検知空間ＩＩに存在する場合、図７（ｆ）は、検知対象が検知空間ＩＩＩに存在する場合のアンテナ選択部３３ｂが参照するアンテナ選択テーブルを示す図である。アンテナ選択部３３ｂは検知空間情報が示す検知空間に対応した選択テーブルを参照し、領域決定部３２ｂが決定した検知対象領域とは異なる領域に対応付けられたアンテナを選択する。また、選択可能なアンテナが複数存在する場合、アンテナ選択部３３ｂは、選択可能なアンテナのうち、所定の判断基準に基づいて選択すればよい。所定の選択基準としては、例えば通信に使用している周波数により適した周波数特性を備えたアンテナを選択してもよいし、通信性能の高いアンテナを選択してもよい。アンテナ選択部３３ｂは、選択したアンテナを示すアンテナ情報を通信部３４に通知する。
【００６２】
〔携帯端末における処理の流れ〕
次に、本実施形態に係る携帯端末１ｂにおける処理の流れについて説明する。図８、９は携帯端末１ｂのデータ処理の流れを示すフローチャートである。
【００６３】
図８に示すように、ユーザの操作等によりネットワーク接続を開始するための処理要求を受け付けると（Ｓ１でＹＥＳ）、位置特定部３１ｂは検知対象（ユーザの手など）の位置を表す座標（検知座標）を、センサパネル２１ｂから取得する（Ｓ２ａ：位置特定処理）。位置特定処理の詳細については後述する。次に、領域決定部３２ｂは位置特定部３１ｂから通知された検知座標を用いて、センサパネル２１ｂの検知面における検知対象領域を決定する。そして、アンテナ選択部３３ｂは、領域決定部３２ｂが決定した検知対象領域を用いて、通信に使用するアンテナを選択する（Ｓ４ａ）。通信部３４は、アンテナ選択部３３ｂが選択したアンテナを用いて通信する（Ｓ５）。その後、ネットワーク接続を終了するための処理要求を受け付けると（Ｓ６でＹＥＳ）、携帯端末１ｂにおける処理は終了する。一方、ネットワーク接続を終了するための処理要求を受け付けなければ（Ｓ６でＮＯ）、ステップＳ２に戻る。
【００６４】
次に、位置特定部３１ｂにおける位置特定処理の流れについて、図９を用いて説明する。図９は、位置特定部３１ｂにおける位置特定処理の流れを示すフローチャートである。
【００６５】
ステップＳ１０１では、位置特定部３１ｂは、センサパネル２１ｂの電極間隔がパターン＜１＞の電極間隔に設定されているか否かを確認し、電極間隔がパターン＜１＞の電極間隔に設定されている場合、Ｓ１０２に進む。一方、電極間隔がパターン＜１＞の電極間隔に設定されていない場合、Ｓ１０８に進む。Ｓ１０８では、位置特定部３１ｂが、電極間隔をパターン＜１＞の電極間隔に設定して（切り替えて）Ｓ１０２に進む。
【００６６】
Ｓ１０２では、位置特定部３１ｂは、検出レベル（検知座標のｚ座標）が基準値１を超えたか否かを判定し、検出レベルが基準値１を超えた場合、Ｓ１０３に進む。一方、検出レベルが基準値１を超えていない場合、Ｓ１０２の動作を最初からやり直す。Ｓ１０３では、位置特定部３１ｂは、検出レベルが基準値２を超えたか否かを判定し、検出レベルが基準値２を超えた場合、Ｓ１０４に進む。一方、検出レベルが基準値２を超えていない場合、Ｓ１０９に進む。Ｓ１０９では、位置特定部３１ｂは、電極間隔がパターン＜１＞の電極間隔に設定されているか否かを確認し、センサパネル２１ｂの電極間隔がパターン＜１＞の電極間隔に設定されている場合、Ｓ１１０に進む。一方、電極間隔がパターン＜１＞の電極間隔に設定されていない場合はＳ１０１に戻る。Ｓ１１０では、検知対象物の検知座標から、物体の位置を特定し、Ｓ１０１に戻る。
【００６７】
Ｓ１０４では、位置特定部３１ｂは、パターン＜２＞の電極間隔に設定されているか否かを確認し、電極間隔がパターン＜２＞の電極間隔に設定されている場合、Ｓ１０５に進む。一方、電極間隔がパターン＜２＞の電極間隔に設定されていない場合、Ｓ１１１に進む。Ｓ１１１では、位置特定部３１ｂは、電極間隔をパターン＜２＞の電極間隔に設定して（切り替えて）Ｓ１０５に進む。
【００６８】
Ｓ１０５では、位置特定部３１ｂは、検出レベルが基準値３を超えたか否かを判定し、検出レベルが基準値３を超えた場合、Ｓ１０６に進む。一方、検出レベルが基準値３を超えていない場合、Ｓ１１２に進む。Ｓ１１２では、位置特定部３１ｂが、センサパネル２１ｂの電極間隔がパターン＜２＞の電極間隔に設定されているか否かを確認し、電極間隔がパターン＜２＞の電極間隔に設定されている場合、Ｓ１１３に進む。一方、電極間隔がパターン＜２＞の電極間隔に設定されていない場合、Ｓ１０３に戻る。Ｓ１１３では、検知対象物の検知座標から物体の位置を特定し、Ｓ１０３に戻る。
【００６９】
Ｓ１０６では、位置特定部３１ｂは、センサパネル２１ｂの電極間隔がパターン＜３＞の電極間隔に設定されているか否かを確認し、電極間隔がパターン＜３＞の電極間隔に設定されている場合、Ｓ１０７に進む。一方、電極間隔がパターン＜３＞の電極間隔に設定されていない場合、Ｓ１１４に進む。Ｓ１１４では、位置特定部３１ｂは、センサパネル２１ｂの電極間隔をパターン＜３＞の電極間隔に設定して（切り替えて）Ｓ１０７に進む。Ｓ１０７では、検知対象物の検知座標から物体の位置を特定し、Ｓ１０５に戻る。
【００７０】
〔実施形態３〕
携帯端末１、１ｂの制御ブロック３、３ｂは、集積回路（ＩＣチップ）等に形成された論理回路（ハードウェア）によって実現してもよいし、ＣＰＵ（Central Processing Unit）を用いてソフトウェアによって実現してもよい。
【００７１】
後者の場合、携帯端末１、１ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７２】
〔まとめ〕
本発明の態様１に係る通信装置（携帯端末１、１ｂ）は、検知対象の位置を検知する検知部（位置取得部３１、位置特定部３１ｂ）と、上記検知部が検知した検知対象の位置から、検知面（センサパネル２１、２１ｂ）において区画された複数の領域のうち、上記検知対象の位置に対応する領域（α〜δ、Ｒ１〜Ｒ２２）を決定する領域決定部（３２、３２ｂ）と、上記複数の領域と対応付けられて上記検知面上に形成された複数のアンテナ（ＡＮ１〜４、ＡＮ１ｂ〜１６ｂ）と、上記複数のアンテナのうち、上記領域決定部が決定した領域とは異なる領域と対応付けられたアンテナを選択するアンテナ選択部（３３、３３ｂ）と、上記アンテナ選択部が選択したアンテナを用いて通信する通信部（３４）と、を備えている。
【００７３】
検知対象の位置によっては、アンテナから出力される電波を妨害してしまう可能性がある。そして、上記の構成によれば、検知対象の位置と対応する領域とは異なる領域に対応付けられたアンテナを、通信に用いるアンテナとして選択することができる。これにより、検知対象により電波等が妨害され通信性能が劣化する可能性のあるアンテナを除いて通信に用いるアンテナを選択することができる。よって、通信性能が良好なアンテナを用いて通信することができる。すなわち、良好な無線通信を実現することができる。
【００７４】
本発明の態様２に係る通信装置は、上記態様１において、上記検知部は、上記検知面に上記検知対象が接触した位置から該検知対象の位置を検知するものであってもよい。
【００７５】
検知対象が検知面に接触している場合、接触位置近辺に存在するアンテナから出力される電波は、検知対象によって妨害される可能性が高い。すなわち、当該アンテナの通信特性は劣化する可能性が高い。そして、上記の構成によれば、ディスプレイに接触している検知対象の位置を検知することができるので、当該位置近辺に存在するアンテナを除いて通信に用いるアンテナを選択することができる。
【００７６】
本発明の態様３に係る通信装置は、上記態様１または２において、上記検知部は、上記検知面から所定の距離内に上記検知対象が存在する場合に、該検知面から該検知対象までの距離、および該検知対象から最も近い該検知面上の位置から、該検知対象の位置を検知するものであってもよい。
【００７７】
検知対象が検知面に接近している場合、接近位置近辺に存在するアンテナから出力される電波は、検知対象によって妨害される可能性が高い。すなわち、当該アンテナの通信特性は劣化する可能性が高い。そして、上記の構成によれば、検知面との距離が所定の距離以下である検知対象の位置を検知することができるので、当該位置近辺に存在するアンテナを除いて通信に用いるアンテナを選択することができる。
【００７８】
本発明の態様４に係る通信装置は、上記態様３において、上記検知部が検知した上記検知対象と上記検知面との距離が短くなるほど、上記領域決定部が決定する領域のサイズは小さくなってもよい。
【００７９】
検知対象と検知面との距離が近ければ近いほど、検知対象がアンテナに影響を与える領域は小さい。そして、上記の構成によれば、検知対象とディスプレイとの距離が短くなるほど、領域決定部が決定する領域が小さくなる。これにより、選択されるアンテナの候補を増やすことができる。
【００８０】
本発明の態様５に係る通信装置は、上記態様１〜４において、上記アンテナは透明であり、上記検知面の近傍に表示部（２２）が配置されているものであってもよい。
【００８１】
上記の構成によれば、表示部上に、表示と重なるようにアンテナを配置することができ、かつ、アンテナにより表示が遮られてユーザが表示を視認できなくなることもない。
【００８２】
本発明の態様６に係る通信装置の制御方法は、検知対象の位置を検知する検知ステップと、上記検知ステップで検知した検知対象の位置から、検知面において区画された複数の領域のうち、上記検知対象の位置に対応する領域を決定する領域決定ステップと、複数のアンテナが、上記複数の領域と対応付けられて上記検知面上に形成されており、上記複数のアンテナのうち、上記領域決定ステップで決定した領域とは異なる領域と対応付けられたアンテナを選択するアンテナ選択ステップと、上記アンテナ選択ステップで選択したアンテナを用いて通信する通信ステップと、を含む。
【００８３】
上記の構成によれば、上記態様１と同じ効果を奏する。
【００８４】
本発明の態様７に係る通信装置は、上記態様１において、上記領域決定部が決定した領域とは異なる領域と対応付けられた上記アンテナが複数ある場合、上記アンテナ選択部は、上記複数のアンテナのうち、通信性能が最も高いアンテナを選択するものであってもよい。
【００８５】
上記の構成によれば、領域決定部が決定した領域とは異なる領域と対応付けられたアンテナのうち、最も通信性能の良いアンテナを用いて通信を行うことができる。
【００８６】
本発明の態様８に係る通信装置は、上記態様１〜５、７において、上記領域決定部が決定した領域には、該領域と対応付けられたアンテナの給電点が含まれるものであってもよい。
【００８７】
検知対象がアンテナの給電点の近傍に存在すると、当該アンテナの通信特性が劣化する。そして、上記の構成によれば、領域にアンテナの給電点が含まれているので、アンテナの給電点の近傍に検知対象が存在する場合、当該給電点を含む領域が領域決定部が決定する領域となる。これにより、当該領域とは異なる領域に対応付けられたアンテナが選択されるので、通信特性が劣化したアンテナを選択してしまうこと防止することができる。
【００８８】
本発明の各態様に係る通信装置は、コンピュータによって実現してもよく、この場合には、コンピュータを上記通信装置が備える各部として動作させることにより上記通信装置をコンピュータにて実現させる通信装置の制御プログラム、およびそれを記録したコンピュータ読み取り可能な記録媒体も、本発明の範疇に入る。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９０】
本発明は、無線通信にて通信を行う携帯電話などのモバイル端末等に利用することができる。
【符号の説明】
【００９１】
１、１ｂ  携帯端末（通信装置），２１、２１ｂ  センサパネル（検知面），２２  表示部，３１  位置取得部（検知部），３１ｂ  位置特定部（検知部），３２、３２ｂ  領域決定部，３３、３３ｂ  アンテナ選択部，３４  通信部，ＡＮ１〜４、ＡＮ１ｂ〜１６ｂ  アンテナ，α〜δ、Ｒ１〜Ｒ２２  領域
【図１】
0006437285.tif 000002
【図２】
0006437285.tif 000003
【図３】
0006437285.tif 000004
【図４】
0006437285.tif 000005
【図５】
0006437285.tif 000006
【図６】
0006437285.tif 000007
【図７】
0006437285.tif 000008
【図８】
0006437285.tif 000009
【図９】
0006437285.tif 000010
【図１０】
0006437285.tif 000011